(57)【特許請求の範囲】
【請求項１】
ワイヤレスノードによるワイヤレス通信の方法であって、
サブフレーム内の送信されるべき１つまたは複数のチャネルのタイプに少なくとも部分的に基づいて、前記サブフレーム内の共通基準信号（ＣＲＳ）を送信するためのリソースを決定することと、
前記決定されたリソースを使用して前記ＣＲＳを送信することと
を備える、方法。
【請求項２】
前記決定されたリソースが、前記サブフレームに割り振られた全帯域幅の狭帯域部分を備える、請求項１に記載の方法。
【請求項３】
物理ブロードキャストチャネル（ＰＢＣＨ）、１次同期信号（ＰＳＳ）、または２次同期信号（ＳＳＳ）のうちの少なくとも１つが前記サブフレーム内で送信されるべきである場合、狭帯域リソースが前記サブフレームの長さに及び、前記長さが制御領域とデータ領域の両方に及ぶ、請求項２に記載の方法。
【請求項４】
物理ダウンリンク制御チャネル（ＰＤＣＣＨ）が、前記サブフレーム内で送信されるべきである場合、前記決定されたリソースが、前記サブフレームの制御領域の一部分だけに及ぶ広帯域リソースを備える、請求項１に記載の方法。
【請求項５】
ワイヤレス通信のワイヤレスノードであって、
サブフレーム内の送信されるべき１つまたは複数のチャネルのタイプに少なくとも部分的に基づいて、前記サブフレーム内の共通基準信号（ＣＲＳ）を送信するためのリソースを決定するための手段と、
前記決定されたリソースを使用して前記ＣＲＳを送信するための手段と
を備える、ワイヤレスノード。
【請求項６】
前記決定されたリソースが、前記サブフレームに割り振られた全帯域幅の狭帯域部分を備える、請求項５に記載のワイヤレスノード。
【請求項７】
物理ブロードキャストチャネル（ＰＢＣＨ）、１次同期信号（ＰＳＳ）、または２次同期信号（ＳＳＳ）のうちの少なくとも１つが前記サブフレーム内で送信されるべきである場合、狭帯域リソースが前記サブフレームの長さに及び、前記長さが制御領域とデータ領域の両方に及ぶ、請求項６に記載のワイヤレスノード。
【請求項８】
物理ダウンリンク制御チャネル（ＰＤＣＣＨ）が、前記サブフレーム内で送信されるべきである場合、前記決定されたリソースが、前記サブフレームの制御領域の一部分だけに及ぶ広帯域リソースを備える、請求項５に記載のワイヤレスノード。
【請求項９】
ＵＥによるワイヤレス通信の方法であって、
サブフレーム内の共通基準信号（ＣＲＳ）を受信することと、
前記ＵＥが前記サブフレームに関して実行するべきである１つまたは複数の機能のタイプに少なくとも部分的に基づいて、前記サブフレーム内の前記受信されたＣＲＳを送信するために使用されるリソースを決定することと、
前記決定に基づいて前記サブフレームに関して前記１つまたは複数の機能を実行することと
を備える、方法。
【請求項１０】
前記決定されたリソースが、前記サブフレームに割り振られた全帯域幅の狭帯域部分を備える、請求項９に記載の方法。
【請求項１１】
前記１つまたは複数の機能が、前記ＣＲＳに基づいてチャネル品質を測定することを備える、請求項９に記載の方法。
【請求項１２】
前記ＵＥが実行するべきである１つまたは複数の機能が、物理ダウンリンク制御チャネル（ＰＤＣＣＨ）を復号することを備える場合、前記決定されたリソースが、前記サブフレームの制御領域の一部分だけに及ぶ広帯域リソースを備える、請求項９に記載の方法。
【請求項１３】
ワイヤレス通信のユーザ機器（ＵＥ）であって、
サブフレーム内の共通基準信号（ＣＲＳ）を受信するための手段と、
ＵＥが前記サブフレームに関して実行するべきである１つまたは複数の機能のタイプに少なくとも部分的に基づいて、前記サブフレーム内の前記受信されたＣＲＳを送信するために使用されるリソースを決定するための手段と、
前記決定に基づいて前記サブフレームに関して前記１つまたは複数の機能を実行するための手段と
を備える、ユーザ機器（ＵＥ）。
【請求項１４】
前記決定されたリソースが、前記サブフレームに割り振られた全帯域幅の狭帯域部分を備える、請求項１３に記載のユーザ機器（ＵＥ）。
【請求項１５】
前記ＵＥが実行するべきである１つまたは複数の機能が、物理ダウンリンク制御チャネル（ＰＤＣＣＨ）を復号することを備える場合、前記決定されたリソースが、前記サブフレームの制御領域の一部分だけに及ぶ広帯域リソースを備える、請求項１３に記載のユーザ機器（ＵＥ）。
【請求項１６】
前記請求項１乃至４のうちのいずれかに従う方法を実行するための命令を備える、コンピュータプログラム。
【請求項１７】
前記請求項９乃至１２のうちのいずれかに従う方法を実行するための命令を備える、コンピュータプログラム。
【発明の詳細な説明】
【技術分野】
【０００１】
米国特許法第１１９条に基づく優先権の主張
[0001]本特許出願は、本出願の譲受人に譲渡され、参照により本明細書に明確に組み込まれる、２０１２年１月２７日に出願された「ＲＥＧＩＯＮＡＬ  ＡＮＤ  ＮＡＲＲＯＷ  ＢＡＮＤ  ＣＯＭＭＯＮ  ＲＥＦＥＲＥＮＣＥ  ＳＩＧＮＡＬ  （ＣＲＳ）  ＦＯＲ  ＵＳＥＲ  ＥＱＵＩＰＭＥＮＴ  （ＵＥ）  ＲＥＬＡＹＳ」と題する米国仮出願第６１／５９１，８２８号の優先権を主張する。
【０００２】
[0002]本開示のいくつかの態様は、概して、ワイヤレス通信に関し、より詳細には、ユーザ機器（ＵＥ）中継器からの共通基準信号（ＣＲＳ）送信に対してリソースを割り当てるための技法に関する。
【背景技術】
【０００３】
[0003]ワイヤレス通信ネットワークは、ボイス、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークとすることができる。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）の通信をサポートすることができるいくつかの基地局を含むことができる。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、および／またはＵＥからアップリンク上でデータおよび制御情報を受信し得る。ダウンリンク上では、基地局からの送信は、隣接基地局からの送信により干渉を認める可能性がある。アップリンク上では、ＵＥからの送信は、隣接基地局と通信する他のＵＥからの送信に対して干渉を引き起こす可能性がある。干渉は、ダウンリンクとアップリンクで共に性能を劣化させるおそれがある。
【発明の概要】
【０００６】
[0006]本開示のいくつかの態様は、ワイヤレスノードによるワイヤレス通信の方法を提供する。本方法は、概して、サブフレーム内の送信されるべき１つまたは複数のチャネルのタイプに少なくとも部分的に基づいて、サブフレーム内の共通基準信号（ＣＲＳ）を送信するためのリソースを決定することと、決定されたリソースを使用してＣＲＳを送信することとを含む。
【０００７】
[0007]本開示のいくつかの態様は、ワイヤレス通信のための装置を提供する。本装置は、概して、サブフレーム内の送信されるべき１つまたは複数のチャネルのタイプに少なくとも部分的に基づいて、サブフレーム内の共通基準信号（ＣＲＳ）を送信するためのリソースを決定するための手段と、決定されたリソースを使用してＣＲＳを送信するための手段とを含む。
【０００８】
[0008]本開示のいくつかの態様は、ワイヤレス通信のための装置を提供する。本装置は、概して、少なくとも１つのプロセッサと、少なくとも１つのプロセッサに結合されたメモリとを含む。少なくとも１つのプロセッサは、概して、サブフレーム内の送信されるべき１つまたは複数のチャネルのタイプに少なくとも部分的に基づいて、サブフレーム内の共通基準信号（ＣＲＳ）を送信するためのリソースを決定することと、決定されたリソースを使用してＣＲＳを送信することとを行うように構成される。
【０００９】
[0009]本開示のいくつかの態様は、概して、サブフレーム内の送信されるべき１つまたは複数のチャネルのタイプに少なくとも部分的に基づいて、サブフレーム内の共通基準信号（ＣＲＳ）を送信するためのリソースを決定するためのコードと、決定されたリソースを使用してＣＲＳを送信するためのコードとを含むコンピュータ可読媒体を提供する。
【００１０】
[0010]本開示のいくつかの態様は、ＵＥによるワイヤレス通信の方法を提供する。本方法は、概して、サブフレームに関してＵＥが実行するべきである１つまたは複数の機能のタイプに少なくとも部分的に基づいて、サブフレーム内の共通基準信号（ＣＲＳ）を送信するために利用可能なリソースを決定することと、決定に基づいてサブフレームを処理することとを含む。
【００１１】
[0011]本開示のいくつかの態様は、ワイヤレス通信のための装置を提供する。本装置は、概して、サブフレームに関してＵＥが実行するべきである１つまたは複数の機能のタイプに少なくとも部分的に基づいて、サブフレーム内の共通基準信号（ＣＲＳ）を送信するために利用可能なリソースを決定するための手段と、決定に基づいてサブフレームを処理するための手段とを含む。
【００１２】
[0012]本開示のいくつかの態様は、ワイヤレス通信のための装置を提供する。本装置は、概して、少なくとも１つのプロセッサと、少なくとも１つのプロセッサに結合されたメモリとを含む。少なくとも１つのプロセッサは、概して、サブフレームに関してＵＥが実行するべきである１つまたは複数の機能のタイプに少なくとも部分的に基づいて、サブフレーム内の共通基準信号（ＣＲＳ）を送信するために利用可能なリソースを決定することと、決定に基づいてサブフレームを処理することとを行うように構成される。
【００１３】
[0013]本開示のいくつかの態様は、概して、サブフレームに関してＵＥが実行するべきである１つまたは複数の機能のタイプに少なくとも部分的に基づいて、サブフレーム内の共通基準信号（ＣＲＳ）を送信するために利用可能なリソースを決定するためのコードと、決定に基づいてサブフレームを処理するためのコードとを含むコンピュータ可読媒体を提供する。
【００１４】
[0014]本開示の様々な態様および特徴について以下でさらに詳細に説明する。
【図面の簡単な説明】
【００１５】
【図１】[0015]本開示のいくつかの態様による、ワイヤレス通信ネットワークの一例を概念的に示すブロック図。
【図２】[0016]本開示のいくつかの態様による、ワイヤレス通信ネットワークにおけるフレーム構造の一例を概念的に示すブロック図。
【図２Ａ】[0017]本開示のいくつかの態様による、Ｌｏｎｇ  Ｔｅｒｍ  Ｅｖｏｌｕｔｉｏｎ（ＬＴＥ）におけるアップリンクのための例示的なフォーマットを示す図。
【図３】[0018]本開示のいくつかの態様による、ワイヤレス通信ネットワーク内のユーザ機器デバイス（ＵＥ）と通信するノードＢの一例を概念的に示すブロック図。
【図４】[0019]本開示のいくつかの態様による、ＵＥ中継器を配備する例示的なネットワークを示す図。
【図５】[0020]本開示のいくつかの態様による、ＰＤＣＣＨだけを送信するサブフレームに対する例示的なＣＲＳリソース構成を示す図。
【図６】[0021]本開示のいくつかの態様による、ＰＳＳ、ＳＳＳまたはＰＢＣＨを送信するがＰＤＣＣＨを送信しないサブフレームに対する例示的なＣＲＳリソース構成を示す図。
【図７】[0022]本開示のいくつかの態様による、ＰＤＣＣＨと、ＰＳＳ、ＳＳＳまたはＰＢＣＨのうちの少なくとも１つとの両方を送信するサブフレームに対する例示的なＣＲＳリソース構成を示す図。
【図８】[0023]本開示のいくつかの態様による、ＰＤＣＣＨ、ＰＳＳ、ＳＳＳまたはＰＢＣＨをいずれも送信しないサブフレームに対する例示的なＣＲＳリソース構成を示す図。
【図９】[0024]本開示のいくつかの態様による、ＵＥ中継局によって実行され得る例示的な動作を示す図。
【図１０】[0025]本開示のいくつかの態様による、ＵＥによって実行され得る例示的な動作を示す図。
【発明を実施するための形態】
【００１６】
[0026]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用できる。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実施することができる。ＵＴＲＡは、Ｗｉｄｅｂａｎｄ  ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実施することができる。ＯＦＤＭＡネットワークは、発展型ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）などといった無線技術を実施することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のワイヤレスネットワークおよび無線技術、ならびに他のワイヤレスネットワークおよび無線技術に使用できる。明確にするために、本技法のいくつかの態様について以下ではＬＴＥ／ＬＴＥ−Ａに関して説明し、以下の説明の大部分でＬＴＥ／ＬＴＥ−Ａ用語を使用する。
【００１７】
[0027]図１に、ワイヤレス通信ネットワーク１００を示し、これはＬＴＥネットワークであり得る。ワイヤレスネットワーク１００は、いくつかの発展型ノードＢ（ｅＮＢ）１１０と他のネットワークエンティティとを含み得る。ｅＮＢは、ユーザ機器デバイス（ＵＥ）と通信する局であり得、基地局、ノードＢ、アクセスポイントなどと呼ばれることもある。各ｅＮＢ  １１０は、特定の地理的エリアに対して通信カバレージを提供することができる。３ＧＰＰでは、「セル」という用語は、この用語が使用される状況に応じて、ｅＮＢのカバレージエリアおよび／またはこのカバレージエリアにサービスしているｅＮＢサブシステムを指すことがある。
【００１８】
[0028]ｅＮＢは、マクロセル、ピコセル、フェムトセル、および／または他のタイプのセルに通信カバレージを提供し得る。マクロセルは、比較的大きい地理的エリア（たとえば、半径数キロメートル）をカバーし、サービスに加入しているＵＥによる無制限アクセスを可能にする。ピコセルは、比較的小さい地理的エリアをカバーし、サービスに加入しているＵＥによる無制限アクセスを可能にする。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による限定アクセスを可能にし得る。マクロセルのためのｅＮＢをマクロｅＮＢと称することができる（すなわちマクロ基地局）。ピコセルのためのｅＮＢをピコｅＮＢと称することができる（すなわちピコ基地局）。フェムトセルのためのｅＮＢをフェムトｅＮＢ（すなわちフェムト基地局）またはホームｅＮＢと呼ぶ。図１に示す例では、ｅＮＢ  １１０ａ、１１０ｂ、および１１０ｃは、それぞれマクロセル１０２ａ、１０２ｂ、および１０２ｃのためのマクロｅＮＢであり得る。ｅＮＢ  １１０ｘは、ピコセル１０２ｘのためのピコｅＮＢであり得る。ｅＮＢ  １１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートすることができる。
【００１９】
[0029]ワイヤレスネットワーク１００はまた、中継局を含み得る。ｅＮＢの一例であり得る中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送る局である。中継局はまた、他のＵＥに対する送信を中継するＵＥ（たとえば、ＵＥ中継局）とすることができる。図１に示す例では、中継局１１０ｒは、ｅＮＢ  １１０ａとＵＥ  １２０ｒとの間の通信を容易にするために、ｅＮＢ  １１０ａおよびＵＥ  １２０ｒと通信し得る。中継局は、リレーｅＮＢ、リレーなどと呼ばれることもある。
【００２０】
[0030]ワイヤレスネットワーク１００は、様々なタイプのｅＮＢ、たとえば、マクロｅＮＢ、ピコｅＮＢ、フェムトｅＮＢ、リレーなどを含む異種ネットワーク（ＨｅｔＮｅｔ）であり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００２１】
[0031]ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００２２】
[0032]ネットワークコントローラ１３０は、ｅＮＢのセットに結合し、これらのｅＮＢの協調および制御を行い得る。ネットワークコントローラ１３０は、バックホールを介してｅＮＢ  １１０と通信し得る。ｅＮＢ  １１０はまた、たとえば、ワイヤレスバックホールまたはワイヤラインバックホールを介して直接または間接的に互いに通信し得る。
【００２３】
[0033]ＵＥ  １２０（たとえば、１２０ｘ、１２０ｙ）は、ワイヤレスネットワーク１００全体にわたって分散され得、各ＵＥは、固定でも移動でもよい。ＵＥはまた、端末、移動局、加入者装置、ステーションなどと称することもできる。ＵＥは、セルラー電話、スマートフォン、携帯情報端末（ＰＤＡ）、ワイヤレスモデム、ワイヤレス通信デバイス、ハンドヘルドデバイス、ラップトップ／ノートブックコンピュータ、コードレス電話、ワイヤレスローカルループ（ＷＬＬ）局、タブレット、ネットブック、スマートブック、ウルトラブックなどであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。いくつかの態様に対して、ＵＥはＬＴＥ  Ｒｅｌｅａｓｅ  １０  ＵＥを含むことができる。
【００２４】
[0034]ＬＴＥは、ダウンリンク上では直交周波数分割多重化（ＯＦＤＭ：orthogonal frequency division multiplexing）を利用し、アップリンク上ではシングルキャリア周波数分割多重化（ＳＣ−ＦＤＭ：single-carrier frequency division multiplexing）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定とすることができ得、サブキャリアの総数（Ｋ）はシステム帯域幅に依存することができる。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅をサブバンドに区分することもできる。たとえば、サブバンドは１．０８ＭＨｚをカバーし得、１．２５、２．５、５、１０、または２０ＭＨｚのシステム帯域幅に対してそれぞれ１つ、２つ、４つ、８つ、または１６個のサブバンドがあり得る。
【００２５】
[0035]図２に、ＬＴＥにおいて使用されるフレーム構造を示す。ダウンリンクの送信タイムラインは、無線フレームの単位に区分できる。各無線フレームは、所定の持続時間（たとえば、１０ミリ秒（ｍｓ））を有してよく、０から９のインデックスをもつ１０個のサブフレームに区分できる。各サブフレームは、２個のスロットを含み得る。したがって、各無線フレームは、０から１９のインデックスをもつ２０個のスロットを含み得る。各スロットは、Ｌ個のシンボル期間、たとえば、（図２に示すように）通常の巡回プレフィックスの場合はＬ＝７個のシンボル期間、または拡張された巡回プレフィックスの場合はＬ＝６個のシンボル期間を含むことができる。各サブフレーム中の２Ｌ個のシンボル期間には０〜２Ｌ−１のインデックスが割り当てられ得る。利用可能な時間周波数リソースはリソースブロックに区分できる。各リソースブロックは、１つのスロット中でＮ個のサブキャリア（たとえば、１２個のサブキャリア）をカバーし得る。
【００２６】
[0036]ＬＴＥでは、ｅＮＢは、ｅＮＢ中の各セルに関する１次同期信号（ＰＳＳ）と２次同期信号（ＳＳＳ）とを送り得る。１次同期信号および２次同期信号は、図２に示すように、それぞれ、通常のサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ）を送り得る。ＰＢＣＨはあるシステム情報を搬送し得る。
【００２７】
[0037]ｅＮＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を搬送し得、Ｍは、１、２、または３に等しくなり得、サブフレームごとに変化し得る。Ｍはまた、たとえば、リソースブロックが１０個未満である、小さいシステム帯域幅では、４に等しくてもよい。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る（図２に図示せず）。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００２８】
[0038]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００２９】
[0039]各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数全体にわたってほぼ等しく離間され得る、４つのＲＥＧを占有し得る。ＰＨＩＣＨは、１つまたは複数の構成可能なシンボル期間において、周波数全体にわたって拡散され得る、３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、最初のＭ個のシンボル期間中に利用可能なＲＥＧから選択され得る、９個、１８個、３２個、または６４個のＲＥＧを占有し得る。ＲＥＧのいくつかの組合せのみがＰＤＣＣＨに対して可能にされ得る。
【００３０】
[0040]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００３１】
[0041]図２Ａに、ＬＴＥにおけるアップリンクのための例示的なフォーマット２００Ａを示す。アップリンクのための使用可能なリソースブロックは、データセクションと制御セクションに区分することができる。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。図２Ａの設計は、データセクション中の連続するサブキャリアのすべてを単一のＵＥに割り当てることを可能にし得る連続サブキャリアを含むデータセクションを生じる。
【００３２】
[0042]制御情報をｅＮＢに送信するために、ＵＥを制御セクション内のリソースブロックに割り振ることができる。ＵＥには、ｅＮＢにデータを送信するためにデータセクション中のリソースブロックも割り当てられ得る。ＵＥは、制御セクション内の割り振られたリソースブロックで物理アップリンク制御チャネル（ＰＵＣＣＨ）２１０ａ、２１０ｂにより制御情報を送信することができる。ＵＥは、データセクション中の割り当てられたリソースブロック上の物理アップリンク共有チャネル（ＰＵＳＣＨ）２２０ａ、２２０ｂ中でデータのみまたはデータと制御情報の両方を送信し得る。アップリンク送信は、サブフレームの両方のスロットにわたり得、図２Ａに示すように周波数全体にわたってホッピングし得る。
【００３３】
[0043]ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００３４】
[0044]ＵＥは、ＵＥが１つまたは複数の干渉ｅＮＢからの大きな干渉を認め得る、支配的干渉シナリオにおいて動作し得る。支配的干渉シナリオは、制限された関連付けにより発生し得る。たとえば、図１では、ＵＥ  １２０ｙは、フェムトｅＮＢ  １１０ｙに近接し得、ｅＮＢ  １１０ｙについて高い受信電力を有し得る。しかしながら、ＵＥ  １２０ｙは、制限された関連付けによりフェムトｅＮＢ  １１０ｙにアクセスすることができないことがあり、次いで、（図１に示すように）より低い受信電力をもつマクロｅＮＢ  １１０ｃまたはやはりより低い受信電力をもつフェムトｅＮＢ  １１０ｚ（図１に図示せず）に接続し得る。その場合、ＵＥ  １２０ｙは、ダウンリンク上でフェムトｅＮＢ  １１０ｙからの高い干渉を認め得、また、アップリンク上でｅＮＢ  １１０ｙに高い干渉を引き起こし得る。
【００３５】
[0045]支配的干渉シナリオはまた、範囲拡張により発生し得、これは、ＵＥが、ＵＥによって検出されたすべてのｅＮＢのうち、より低い経路損失とより低いＳＮＲとをもつｅＮＢに接続するシナリオである。たとえば、図１では、ＵＥ  １２０ｘは、マクロｅＮＢ  １１０ｂとピコｅＮＢ  １１０ｘとを検出し得、ｅＮＢ  １１０ｘについて、ｅＮＢ  １１０ｂよりも低い受信電力を有し得る。とはいえ、ｅＮＢ  １１０ｘの経路損失がマクロｅＮＢ  １１０ｂの経路損失よりも低い場合、ＵＥ  １２０ｘはピコｅＮＢ  １１０ｘに接続することが望ましいことがある。これにより、ＵＥ  １２０ｘの所与のデータレートに対してワイヤレスネットワークへの干渉が少なくなり得る。
【００３６】
[0046]一態様では、支配的干渉シナリオにおける通信は、異なるｅＮＢを異なる周波数帯域上で動作させることによってサポートされ得る。周波数帯域は、通信のために使用され得る周波数範囲であり、（ｉ）中心周波数および帯域幅、または（ｉｉ）より低い周波数およびより高い周波数によって与えられ得る。周波数帯域は、帯域、周波数チャネルなどと呼ばれることもある。異なるｅＮＢのための周波数帯域は、強いｅＮＢがそれのＵＥと通信することを可能にしながら、ＵＥが支配的干渉シナリオにおいてより弱いｅＮＢと通信することができるように選択され得る。ｅＮＢは、ＵＥにおいて受信されるｅＮＢからの信号の受信電力に基づいて（ｅＮＢの送信電力レベルには基づかずに）「弱い」ｅＮＢまたは「強い」ｅＮＢとして分類され得る。
【００３７】
[0047]図３は、図１の基地局／ｅＮＢのうちの１つであり得る基地局またはｅＮＢ  １１０および図１のＵＥのうちの１つであり得るＵＥ  １２０の設計のブロック図である。ｅＮＢ  １１０はまた、何らかの他のタイプの基地局であり得る。ｅＮＢ  １１０は、Ｔ個のアンテナ３３４ａ〜３３４ｔを装備し得、ＵＥ  １２０は、Ｒ個のアンテナ３５２ａ〜３５２ｒを装備し得、概して、Ｔ≧１およびＲ≧１である。
【００３８】
[0048]ｅＮＢ  １１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ３２０は、データと制御情報とを処理（たとえば、符号化およびシンボルマッピング）し、データシンボルと制御シンボルとをそれぞれ取得することができる。送信プロセッサ３２０は、たとえば、ＰＳＳ、ＳＳＳ、およびセル特有の基準信号に対する基準シンボルを生成することもできる。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、Ｔ個の出力シンボルストリームをＴ個の変調器（ＭＯＤ）３３２ａ〜３３２ｔに供給し得る。各変調器３３２は、（たとえば、ＯＦＤＭなどの）それぞれの出力シンボルストリームを処理して出力サンプルストリームを取得し得る。各変調器３３２はさらに、ダウンリンク信号を取得するために、出力サンプルストリームを処理（たとえば、アナログへの変換、増幅、フィルタ処理、およびアップコンバート）することができる。変調器３３２ａ〜３３２ｔからのＴ個のダウンリンク信号は、それぞれＴ個のアンテナ３３４ａ〜３３４ｔを介して送信され得る。
【００３９】
[0049]ＵＥ  １２０において、アンテナ３５２ａ〜３５２ｒは、ｅＮＢ  １１０からダウンリンク信号を受信し得、受信信号をそれぞれ復調器（ＤＥＭＯＤ）３５４ａ〜３５４ｒに供給し得る。各復調器３５４は、それぞれの受信信号を調整（たとえば、フィルタ処理、増幅、ダウンコンバート、およびデジタル化）して、入力サンプルを得ることができる。各復調器３５４はさらに、（たとえば、ＯＦＤＭなどの）入力サンプルを処理して受信シンボルを取得し得る。ＭＩＭＯ検出器３５６は、Ｒ個の復調器３５４ａ〜３５４ｒのすべてから受信シンボルを取得し、適用可能な場合は受信シンボルに対してＭＩＭＯ検出を実行し、検出されたシンボルを供給し得る。受信プロセッサ３５８は、検出されたシンボルを処理（たとえば、復調、デインターリーブ、および復号）し、ＵＥ  １２０の復号されたデータをデータシンク３６０に与え、復号された制御情報をコントローラ／プロセッサ３８０に与え得る。
【００４０】
[0050]アップリンク上では、ＵＥ  １２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）変調器３５４ａ〜３５４ｒによって処理され、ｅＮＢ  １１０に送信され得る。ｅＮＢ  １１０において、ＵＥ  １２０からのアップリンク信号は、アンテナ３３４によって受信され、復調器３３２によって処理され、適用可能な場合はＭＩＭＯ検出器３３６によって検出され、さらに受信プロセッサ３３８によって処理されて、ＵＥ  １２０によって送られた復号されたデータおよび制御情報が取得され得る。受信プロセッサ３３８は、復号されたデータをデータシンク３３９に供給し、復号された制御情報をコントローラ／プロセッサ３４０に供給し得る。
【００４１】
[0051]コントローラ／プロセッサ３４０および３８０は、それぞれｅＮＢ  １１０における動作およびＵＥ  １２０における動作を指示し得る。ｅＮＢ  １１０におけるコントローラ／プロセッサ３４０、受信プロセッサ３３８および／または他のプロセッサとモジュールとは、本明細書で説明する技法に対する図９の動作９００および／または他の処理を実行するかまたは指示することができる。ＵＥ  １２０におけるコントローラ／プロセッサ３８０、受信プロセッサ３５８、送信プロセッサ３６４、ならびに／あるいは他のプロセッサおよびモジュールは、図１０の動作１０００、および／または本明細書で説明する技法のための他のプロセスを実行または指示し得る。メモリ３４２および３８２は、それぞれｅＮＢ  １１０およびＵＥ  １２０のためのデータおよびプログラムコードを記憶し得る。スケジューラ３４４は、ダウンリンク上および／またはアップリンク上でのデータ送信のためにＵＥをスケジュールし得る。ｅＮＢ  １１０は、ＵＥ  １２０に静的リソース区分情報（ＳＰＲＩ）を送信し得る。ＵＥ  １２０は、ｅＮＢ  １１０にサウンディング基準信号（ＳＲＳ）を送信し得る。
【００４２】
ＵＥ中継器に対する例示的な局所的狭帯域ＣＲＳ
[0052]いくつかの態様では、ＵＥ中継器は、セルカバレージとスループットとを向上させるために配備され得る。たとえば、図４は、本開示のいくつかの態様による、ＵＥ中継器を配備する例示的なネットワーク４００を示す。ネットワーク４００は、ＵＥ  ４０４、４０６および４０８との通信が可能なｅＮＢ  ４０２を含む。ｅＮＢ  ４０２は、キャリア周波数セットＦ１を使用してＵＥ  ４０４と直接通信する（直接ホップ／単一ホップ）。ｅＮＢ  ４０２は、ＵＥ中継器４０８を介してＵＥ  ４０６と通信する。ＵＥ中継器４０８は、これらの２つのノード間でデータを中継することによって、ｅＮＢ  ４０２とＵＥ  ４０６との間の通信を容易にする。ｅＮＢ  ４０２およびＵＥ中継器４０８は、キャリア周波数セットＦ３（バックホールホップ（backhaul hop））を使用して通信する。さらに、ＵＥ中継器４０８は、キャリア周波数セットＦ２（アクセスホップ）を使用してＵＥ  ４０６と通信する。
【００４３】
[0053]いくつかの態様では、Ｆ２は、Ｆ３から離されており（帯域外中継器）、Ｆ１およびＦ２はライセンス周波数（licensed frequency）であり、Ｆ３はアンライセンス周波数（unlicensed frequency）であり得る。一態様では、ＵＥ中継器４０８は、たとえば、配備シナリオに応じてＦ２リンクまたはＦ３リンクの下でＬＴＥ標準設計を利用し得る。
【００４４】
[0054]いくつかの態様では、中継器ＵＥ  ４０８が実際に実現可能であり、性能の観点から有益であるために、一般的に、ネットワーク４００内に、ＵＥ中継器として潜在的に使用され得る、かなり多数のＵＥが存在すべきである。これは、（ＵＥは一般的にバッテリー電力で動作するので）ＵＥの送信電力は概して低く、したがって中継器として使用され得るＵＥの密度が低い場合、２つのＵＥ間のリンクが非常に弱いことがあり、効率的な通信ができないことがあるからである。しかしながら、多数の中継器ＵＥが小さい領域内でアクティブに通信することは、ｅＮＢに対する干渉の増加をもたらすことがある。したがって、中継器ＵＥと通常のｅＮＢとの間の干渉を低減する必要がある。
【００４５】
[0055]さらに、いくつかの態様では、ＵＥ中継器は、一般的に、バッテリ電力の使用に応じ、電力制約されるので、中継器ＵＥ内の電力消費を低減する必要がある。
【００４６】
[0056]加えて、いくつかの態様では、中継器ＵＥによってサービスされるＵＥは、ＵＥとそれらをサービスするＵＥ中継器との間のリンクの測定および／または復調のために、適切な基準信号（たとえば、制御チャネル、ＰＢＣＨなど）を必要とする。したがって、測定および／または復調のためにＵＥに基準信号を供給することも必要である。
【００４７】
[0057]いくつかの態様では、ＵＥ中継器４０８による共通基準信号（ＣＲＳ）の送信は、１つまたは複数のチャネル／信号、たとえばＰＳＳ、ＳＳＳ、ＰＢＣＨ、およびＰＤＣＣＨの送信と組み合わされ得る。いくつかの態様では、ＵＥ中継器から送信されるサブフレーム内のＣＲＳの量／構成は、ＣＲＳを受信するＵＥにおけるＣＲＳおよび／またはＣＲＳの使用法に加えて、サブフレーム内の送信されるべき１つまたは複数のチャネルのタイプに基づくことができる。一態様では、可能な最小のＣＲＳリソースは、ＣＲＳの送信の長さおよび／または送信の帯域幅を制限することによって必要な機能を遂行するために割り振られ得る。
【００４８】
[0058]第１の態様では、ＵＥ中継器（たとえば、ＵＥ中継器４０８）から送信されるべきサブフレームは、ＰＳＳ、ＳＳＳまたはＰＢＣＨを含まず、ＰＤＣＣＨだけを含み得る。この場合、受信ＵＥは、同期測定を実行する必要はないが、ＰＤＣＣＨを復号／復調することおよび／またはＵＥ中継器とＵＥとの間のリンクを測定することを必要とすることがある。図５は、本開示のいくつかの態様による、ＰＤＣＣＨだけを送信するサブフレームに対する例示的なＣＲＳリソース構成５００を示す。図５に示すように、サブフレーム５１０は、概して、制御領域５２０とデータ領域５３０とを含む。ＰＤＣＣＨは、一般的に、制御領域５２０の第１の少数のシンボル内で送信され、サブフレームに割り振られた全帯域幅にわたって分配される。したがって、ＣＲＳはまた、ＰＤＣＣＨを効果的に復号するために、実質的にサブフレームの全帯域幅にわたって分配されることが必要である。しかしながら、ＰＤＣＣＨは、制御領域の第１の少数のシンボルだけにわたって送信されるので、ＣＲＳは、サブフレームの全長に及ぶことを必要とされない。したがって、この態様では、ＣＲＳは、制御領域５２０の一部分だけに及ぶ広帯域リソース５４０を使用して送信され得る。たとえば、ＣＲＳリソース５４０は、制御領域５２０の第１のシンボルにわたる広帯域リソースであってよい。ＵＥは、データを復号するために異なる基準信号を使用することが（たとえば、ＰＤＳＣＨ）、この態様に対して仮定され得る。一態様では、ＣＲＳは、ＰＤＣＣＨを復号することと、ＵＥとサブフレームを送信するＵＥ中継器との間のリンクを測定することの両方のために、ＵＥによって使用され得る。
【００４９】
[0059]第２の態様では、ＵＥ中継器（たとえば、ＵＥ中継器４０８）から送信されるべきサブフレームは、ＰＳＳ、ＳＳＳまたはＰＢＣＨを含み得るが、ＰＤＣＣＨを含まない。この場合、受信ＵＥは、ＰＤＣＣＨを復号する必要はないが、ＰＢＣＨを復号することおよび／またはＵＥ中継器とＵＥとの間のリンクを測定することを必要とすることがある。図６は、本開示のいくつかの態様による、ＰＳＳ、ＳＳＳまたはＰＢＣＨを送信するがＰＤＣＣＨを送信しないサブフレームに対する例示的なＣＲＳリソース構成６００を示す。たとえば、ＰＢＣＨは、一般的に、サブフレームの全長にわたって中心の少数のリソースブロック（ＲＢ）の中で送信される。したがって、ＣＲＳはまた、ＰＢＣＨを効果的に復号するために、実質的にサブフレームの全長にわたって送信されることが必要である。しかしながら、ＰＢＣＨは中心の少数のＲＢだけにわたって送信されるので、ＣＲＳは、サブフレームの全帯域幅に及ぶことを必要とされない。したがって、この態様では、ＣＲＳは、実質的にサブフレームの全長に及ぶ狭帯域リソース６１０を使用して送信され得る。たとえば、ＣＲＳリソース６１０は、実質的にサブフレームの全長に及ぶサブフレームの中心の少数のＲＢにわたる狭帯域リソースであってよい。一態様では、ＣＲＳは、ＰＢＣＨを復号することと、ＵＥとサブフレームを送信するＵＥ中継器との間のリンクを測定することとの両方のために、ＵＥによって使用され得る。
【００５０】
[0060]第３の態様では、ＵＥ中継器（たとえば、ＵＥ中継器４０８）から送信されるべきサブフレームは、ＰＤＣＣＨと、ＰＳＳ、ＳＳＳまたはＰＢＣＨとの両方を含み得る。この場合、受信ＵＥは、ＰＤＣＣＨとＰＢＣＨの両方を復号することが必要であることがある。図７は、本開示のいくつかの態様による、ＰＤＣＣＨと、ＰＳＳ、ＳＳＳまたはＰＢＣＨとの両方を送信するサブフレームに対する例示的なＣＲＳリソース構成７００を示す。この態様では、ＣＲＳは、データ領域における狭帯域リソース７１０と、制御領域における広帯域リソース７２０とを使用して送信され得る。一態様では、ＣＲＳは、ＰＢＣＨおよびＰＤＣＣＨを復号することと、ＵＥとサブフレームを送信するＵＥ中継器との間のリンクを測定することとの両方のために、ＵＥによって使用され得る。
【００５１】
[0061]第４の態様では、ＵＥ中継器（たとえば、ＵＥ中継器４０８）から送信されるべきサブフレームは、ＰＳＳ、ＳＳＳ、ＰＢＣＨ、またはＰＤＣＣＨをいずれも含まない。この場合、受信ＵＥは、ＰＤＣＣＨまたはＰＢＣＨを復号する必要はなく、ＵＥとＵＥ中継器との間のリンクを（たとえば、ハンドオーバのために）測定することだけが必要であることがある。図８は、本開示のいくつかの態様による、ＰＤＣＣＨ、ＰＳＳ、ＳＳＳまたはＰＢＣＨをいずれも送信しないサブフレームに対する例示的なＣＲＳリソース構成８００を示す。この態様では、ＣＲＳは、データ領域５３０におけるＣＲＳ送信を使用せず、制御領域５２０における狭帯域リソース８１０だけを使用して送信され得る。
【００５２】
[0062]したがって、上で示したように、４つの態様のすべては、チャネルの測定および復調のために適切な基準を提供しながら、干渉を低減し、電力消費を低減しようとして、ＣＲＳを送信するために可能な最小のリソースを使用することを試みる。
【００５３】
[0063]いくつかの態様では、ＵＥ中継器は、チャネル測定が必要とされるときだけ、ＣＲＳポートのより小さいセット（たとえば、１ポートだけのＣＲＳ）上で送信するように選択することができる。たとえば、ＵＥ中継器は、ポート０だけを送信し得る。さらなる態様では、ＵＥ中継器は、復調が性能を改善する必要があるとき、複数のポート（たとえば、２ポート）を送信するように選択することができる。
【００５４】
[0064]いくつかの態様では、上記で説明した態様は、ＣｏＭＰグリーン（エネルギー効率が高い）基地局、新しいキャリアタイプ（たとえば、拡張キャリア）、低コストデバイス、デバイス間通信など、他のシナリオに適用可能であり得る。
【００５５】
[0065]いくつかの態様では、Ｒｅｌａｙ  ＰＤＣＣＨ（Ｒ−ＰＤＣＣＨ）またはＥｎｈａｎｃｅｄ  ＰＤＣＣＨ（Ｅ−ＰＤＣＣＨ）が使用される場合、ＵＥ−ＲＳ（基準信号）が、Ｒ／Ｅ−ＰＤＣＣＨを復調するために使用される場合、ＣＲＳは、必ずしも、Ｒ／Ｅ−ＰＤＣＣＨを復号する目的で送信されるとは限らない（たとえば、ＣＲＳ管理の観点からＰＤＣＣＨのないサブフレームとしてサブフレームを取り扱う）。
【００５６】
[0066]図９は、本開示のいくつかの態様による、たとえばワイヤレスノードによって実行され得る例示的な動作９００を示す。一態様では、ワイヤレスノードは、ＵＥ中継局を含み得る。９０２で、サブフレーム内の送信されるべき１つまたは複数のチャネルのタイプに少なくとも部分的に基づいて、サブフレーム内の共通基準信号（ＣＲＳ）を送信するためのリソースを決定することによって、動作９００が開始する。９０４で、ＣＲＳは、決定されたリソースを使用して送信され得る。
【００５７】
[0067]一態様では、決定されたリソースは、サブフレームに割り振られた全帯域幅の狭帯域部分を含み得る。一態様では、ＰＢＣＨ、ＰＳＳ、またはＳＳＳのうちの少なくとも１つがサブフレーム内で送信されるべきである場合、狭帯域リソースはサブフレームの長さに及び、長さは制御領域とデータ領域の両方に及ぶ。
【００５８】
[0068]一態様では、ＰＢＣＨ、ＰＳＳ、ＳＳＳおよびＰＤＣＣＨがいずれもサブフレーム内で送信されるべきでない場合、狭帯域リソースはサブフレームの制御領域の一部分だけに及ぶ。
【００５９】
[0069]一態様では、ＰＤＣＣＨもまたサブフレーム内で送信されるべきである場合、決定されたリソースはサブフレームの制御領域の一部分だけに及ぶ広帯域リソースをさらに含む。一態様では、決定されたリソースは、制御領域の第１のシンボル長に及ぶ。
【００６０】
[0070]一態様では、サブフレーム内でＰＤＣＣＨが送信され、およびＰＢＣＨ、ＰＳＳ、およびＳＳＳがいずれも送信されるべきではない場合、決定されたリソースはサブフレームの制御領域の一部分だけに及ぶ広帯域リソースを含む。
【００６１】
[0071]一態様では、ワイヤレスノードは、低電力クラスノードであってよい。
【００６２】
[0072]図１０は、本開示のいくつかの態様による、たとえばＵＥによって実行され得る例示的な動作１０００を示す。１００２で、ＵＥがサブフレームに関して実行するべきである１つまたは複数の機能のタイプに少なくとも部分的に基づいて、サブフレーム内の共通基準信号（ＣＲＳ）を送信するために利用可能なリソースを決定することによって、動作１０００を開始し得る。１００４で、サブフレームは、決定に基づいて処理され得る。
【００６３】
[0073]一態様では、１つまたは複数の機能は、ＣＲＳに基づいてチャネル品質を測定することを含む。
【００６４】
[0074]一態様では、決定されたリソースは、サブフレーム割り振られた全帯域幅の狭帯域部分を含む。
【００６５】
[0075]一態様では、１つまたは複数の機能が、サブフレーム内で送信されるＰＢＣＨ、ＰＳＳ、またはＳＳＳのうちの少なくとも１つを復号することを備える場合、狭帯域リソースはサブフレームの長さに及び、長さは制御領域とデータ領域の両方に及ぶ。
【００６６】
[0076]一態様では、１つまたは複数の機能が、ＰＢＣＨ、ＰＳＳ、ＳＳＳ、およびＰＤＣＣＨをいずれも復号しないことを備える場合、狭帯域リソースはサブフレームの制御領域の一部分だけに及ぶ。
【００６７】
[0077]一態様では、１つまたは複数の機能もまた、サブフレーム内で送信されるＰＤＣＣＨを復号することを含む場合、決定されたリソースはサブフレームの制御領域の一部分だけに及ぶ広帯域リソースをさらに含む。
【００６８】
[0078]一態様では、ＵＥが実行するべきである１つまたは複数の機能が、ＰＤＣＣＨを復号し、ＰＢＣＨ、ＰＳＳ、およびＳＳＳをいずれも復号しないことを含む場合、決定されたリソースはサブフレームの制御領域の一部分だけに及ぶ広帯域リソースを含む。一態様では、決定されたリソースは、制御領域の第１のシンボル長に及ぶ。
【００６９】
[0079]情報および信号は様々な異なる技術および技法のいずれかを使用して表すことができることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７０】
[0080]さらに、本明細書の開示に関連して説明した様々な例示的な論理ブロック、モジュール、回路、およびアルゴリズムステップは、ハードウェア、ソフトウェア／ファームウェア、またはこれらの組合せとして実施できることを、当業者は諒解されよう。ハードウェアとソフトウェア／ファームウェアのこの互換性を明確に示すために、様々な例示的な構成要素、ブロック、モジュール、回路、およびステップについて、上記では概してそれらの機能に関して説明した。そのような機能をハードウェアとして実施するか、ソフトウェア／ファームウェアとして実施するかは、特定の適用例および全体的なシステムに課される設計制約に依存する。当業者は、説明した機能を特定の適用例ごとに様々な方法で実施することができるが、そのような実施の決定は、本開示の範囲からの逸脱を生じるものと解釈すべきではない。
【００７１】
[0081]本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実施または実行できる。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実施することもできる。
【００７２】
[0082]本明細書の開示に関して説明した方法またはアルゴリズムのステップは、直接ハードウェアで実施するか、プロセッサによって実行されるソフトウェア／ファームウェアモジュールで実施するか、またはその２つの組合せで実施することができる。ソフトウェア／ファームウェアモジュールは、ＲＡＭメモリ、フラッシュメモリ、ＲＯＭメモリ、ＥＰＲＯＭメモリ、ＥＥＰＲＯＭメモリ、ＰＣＭ（相変化メモリ）、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、および／または記憶媒体に情報を書き込むことができるように、プロセッサに結合される。代替として、記憶媒体はプロセッサに一体化することができる。プロセッサおよび記憶媒体はＡＳＩＣ中に常駐することができる。ＡＳＩＣは、ユーザ端末内に常駐することができる。代替として、プロセッサおよび記憶媒体は、ユーザ端末内に個別構成要素として常駐することもできる。一般に、図に示す動作がある場合、それらの動作は、同様の番号をもつ対応するカウンターパートのミーンズプラスファンクション構成要素を有し得る。
【００７３】
[0083]１つまたは複数の例示的な設計では、説明した機能を、ハードウェア、ソフトウェア／ファームウェア、またはそれらの組合せで実施することができる。ソフトウェア／ファームウェアで実施する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェア／ファームウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）（登録商標）を含み、ディスク（disk）は、通常、データを磁気的に再生し、ディスク（disc）は、データをレーザで光学的に再生する。上記の組合せもコンピュータ可読媒体の範囲内に含めるべきである。
【００７４】
[0084]本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
ワイヤレスノードによるワイヤレス通信の方法であって、
サブフレーム内の送信されるべき１つまたは複数のチャネルのタイプに少なくとも部分的に基づいて、前記サブフレーム内の共通基準信号（ＣＲＳ）を送信するためのリソースを決定することと、
前記決定されたリソースを使用して前記ＣＲＳを送信することと
を備える、方法。
［Ｃ２］
前記決定されたリソースが、前記サブフレーム割り振られた全帯域幅の狭帯域部分を備える、Ｃ１に記載の方法。
［Ｃ３］
物理ブロードキャストチャネル（ＰＢＣＨ）、１次同期信号（ＰＳＳ）、または２次同期信号（ＳＳＳ）のうちの少なくとも１つが前記サブフレーム内で送信されるべきである場合、狭帯域リソースが前記サブフレームの長さに及び、前記長さが制御領域とデータ領域の両方に及ぶ、Ｃ２に記載の方法。
［Ｃ４］
物理ダウンリンク制御チャネル（ＰＤＣＣＨ）がまた、前記サブフレーム内で送信されるべきである場合、前記決定されたリソースが、前記サブフレームの制御領域の一部分だけに及ぶ広帯域リソースをさらに備える、Ｃ３に記載の方法。
［Ｃ５］
物理ブロードキャストチャネル（ＰＢＣＨ）、１次同期信号（ＰＳＳ）、２次同期信号（ＳＳＳ）および物理ダウンリンク制御チャネル（ＰＤＣＣＨ）がいずれも前記サブフレーム内で送信されるべきでない場合、狭帯域リソースが、前記サブフレームの制御領域の一部分だけに及ぶ、Ｃ２に記載の方法。
［Ｃ６］
物理ダウンリンク制御チャネル（ＰＤＣＣＨ）が、前記サブフレーム内で送信されるべきである場合、前記決定されたリソースが、前記サブフレームの制御領域の一部分だけに及ぶ広帯域リソースを備える、Ｃ１に記載の方法。
［Ｃ７］
前記決定されたリソースが、前記制御領域の第１のシンボル長に及ぶ、Ｃ４に記載の方法。
［Ｃ８］
前記ワイヤレスノードがユーザ機器（ＵＥ）中継局を備える、Ｃ１に記載の方法。
［Ｃ９］
前記ワイヤレスノードが低電力クラスノードである、Ｃ１に記載の方法。
［Ｃ１０］
ワイヤレス通信の装置であって、
サブフレーム内の送信されるべき１つまたは複数のチャネルのタイプに少なくとも部分的に基づいて、前記サブフレーム内の共通基準信号（ＣＲＳ）を送信するためのリソースを決定するための手段と、
前記決定されたリソースを使用して前記ＣＲＳを送信するための手段と
を備える、装置。
［Ｃ１１］
前記決定されたリソースが、前記サブフレーム割り振られた全帯域幅の狭帯域部分を備える、Ｃ１０に記載の装置。
［Ｃ１２］
物理ブロードキャストチャネル（ＰＢＣＨ）、１次同期信号（ＰＳＳ）、または２次同期信号（ＳＳＳ）のうちの少なくとも１つが前記サブフレーム内で送信されるべきである場合、狭帯域リソースが前記サブフレームの長さに及び、前記長さが制御領域とデータ領域の両方に及ぶ、Ｃ１１に記載の装置。
［Ｃ１３］
物理ダウンリンク制御チャネル（ＰＤＣＣＨ）がまた、前記サブフレーム内で送信されるべきである場合、前記決定されたリソースが、前記サブフレームの制御領域の一部分だけに及ぶ広帯域リソースをさらに備える、Ｃ１２に記載の装置。
［Ｃ１４］
物理ブロードキャストチャネル（ＰＢＣＨ）、１次同期信号（ＰＳＳ）、２次同期信号（ＳＳＳ）および物理ダウンリンク制御チャネル（ＰＤＣＣＨ）がいずれも前記サブフレーム内で送信されるべきでない場合、狭帯域リソースが、前記サブフレームの制御領域の一部分だけに及ぶ、Ｃ１１に記載の装置。
［Ｃ１５］
物理ダウンリンク制御チャネル（ＰＤＣＣＨ）が、前記サブフレーム内で送信されるべきである場合、前記決定されたリソースが、前記サブフレームの制御領域の一部分だけに及ぶ広帯域リソースを備える、Ｃ１０に記載の装置。
［Ｃ１６］
前記決定されたリソースが、前記制御領域の第１のシンボル長に及ぶ、Ｃ１３に記載の装置。
［Ｃ１７］
前記装置がユーザ機器（ＵＥ）中継局を備える、Ｃ１０に記載の装置。
［Ｃ１８］
前記装置が低電力クラスノードを備える、Ｃ１０に記載の装置。
［Ｃ１９］
ワイヤレス通信の装置であって、
サブフレーム内の送信されるべき１つまたは複数のチャネルのタイプに少なくとも部分的に基づいて、前記サブフレーム内の共通基準信号（ＣＲＳ）を送信するためのリソースを決定することと、
前記決定されたリソースを使用して前記ＣＲＳを送信することと
を行うように構成されたプロセッサを備える、装置。
［Ｃ２０］
サブフレーム内の送信されるべき１つまたは複数のチャネルのタイプに少なくとも部分的に基づいて、前記サブフレーム内の共通基準信号（ＣＲＳ）を送信するためのリソースを決定するためのコードと、
前記決定されたリソースを使用して前記ＣＲＳを送信するためのコードと
を備える、コンピュータ可読媒体。
［Ｃ２１］
ＵＥによるワイヤレス通信の方法であって、
前記ＵＥがサブフレームに関して実行するべきである１つまたは複数の機能のタイプに少なくとも部分的に基づいて、前記サブフレーム内の共通基準信号（ＣＲＳ）を送信するために利用可能なリソースを決定することと、
前記決定に基づいて前記サブフレームを処理することと
を備える、方法。
［Ｃ２２］
前記決定されたリソースが、前記サブフレーム割り振られた全帯域幅の狭帯域部分を備える、Ｃ２１に記載の方法。
［Ｃ２３］
前記１つまたは複数の機能が、前記ＣＲＳに基づいてチャネル品質を測定することを備える、Ｃ２１に記載の方法。
［Ｃ２４］
前記１つまたは複数の機能が、前記サブフレーム内で送信される物理ブロードキャストチャネル（ＰＢＣＨ）、１次同期信号（ＰＳＳ）、または２次同期信号（ＳＳＳ）のうちの少なくとも１つを復号することを備える場合、狭帯域リソースが前記サブフレームの長さに及び、前記長さが制御領域とデータ領域の両方に及ぶ、Ｃ２２に記載の方法。
［Ｃ２５］
前記１つまたは複数の機能がまた、前記サブフレーム内で送信される物理ダウンリンク制御チャネル（ＰＤＣＣＨ）を復号することを備える場合、前記決定されたリソースが、前記サブフレームの制御領域の一部分だけに及ぶ広帯域リソースをさらに備える、Ｃ２４に記載の方法。
［Ｃ２６］
前記１つまたは複数の機能が、物理ブロードキャストチャネル（ＰＢＣＨ）、１次同期信号（ＰＳＳ）、２次同期信号（ＳＳＳ）および物理ダウンリンク制御チャネル（ＰＤＣＣＨ）をいずれも復号しないことを備える場合、狭帯域リソースが、前記サブフレームの制御領域の一部分だけに及ぶ、Ｃ２２に記載の方法。
［Ｃ２７］
前記ＵＥが実行するべきである１つまたは複数の機能が、物理ダウンリンク制御チャネル（ＰＤＣＣＨ）を復号することを備える場合、前記決定されたリソースが、前記サブフレームの制御領域の一部分だけに及ぶ広帯域リソースを備える、Ｃ２１に記載の方法。
［Ｃ２８］
前記決定されたリソースが、前記制御領域の第１のシンボル長に及ぶ、Ｃ２７に記載の方法。
［Ｃ２９］
ワイヤレス通信の装置であって、
ＵＥがサブフレームに関して実行するべきである１つまたは複数の機能のタイプに少なくとも部分的に基づいて、前記サブフレーム内の共通基準信号（ＣＲＳ）を送信するために利用可能なリソースを決定するための手段と、前記決定に基づいて前記サブフレームを処理するための手段とを備える、装置。
［Ｃ３０］
前記決定されたリソースが、前記サブフレーム割り振られた全帯域幅の狭帯域部分を備える、Ｃ２９に記載の装置。
［Ｃ３１］
前記１つまたは複数の機能が、前記ＣＲＳに基づいてチャネル品質を測定することを備える、Ｃ２９に記載の装置。
［Ｃ３２］
前記１つまたは複数の機能が、前記サブフレーム内で送信される物理ブロードキャストチャネル（ＰＢＣＨ）、１次同期信号（ＰＳＳ）、または２次同期信号（ＳＳＳ）のうちの少なくとも１つを復号することを備える場合、狭帯域リソースが前記サブフレームの長さに及び、前記長さが制御領域とデータ領域の両方に及ぶ、Ｃ３０に記載の装置。
［Ｃ３３］
前記１つまたは複数の機能がまた、前記サブフレーム内で送信される物理ダウンリンク制御チャネル（ＰＤＣＣＨ）を復号することを備える場合、前記決定されたリソースが、前記サブフレームの制御領域の一部分だけに及ぶ広帯域リソースをさらに備える、Ｃ３２に記載の装置。
［Ｃ３４］
前記１つまたは複数の機能が、物理ブロードキャストチャネル（ＰＢＣＨ）、１次同期信号（ＰＳＳ）、２次同期信号（ＳＳＳ）および物理ダウンリンク制御チャネル（ＰＤＣＣＨ）をいずれも復号しないことを備える場合、前記狭帯域リソースが、前記サブフレームの制御領域の一部分だけに及ぶ、Ｃ３０に記載の装置。
［Ｃ３５］
前記ＵＥが実行するべきである１つまたは複数の機能が、物理ダウンリンク制御チャネル（ＰＤＣＣＨ）を復号することを備える場合、前記決定されたリソースが、前記サブフレームの制御領域の一部分だけに及ぶ広帯域リソースを備える、Ｃ２９に記載の装置。
［Ｃ３６］
前記決定されたリソースが、前記制御領域の第１のシンボル長に及ぶ、Ｃ３５に記載の装置。
［Ｃ３７］
ワイヤレス通信の装置であって、
ＵＥがサブフレームに関して実行するべきである１つまたは複数の機能のタイプに少なくとも部分的に基づいて、前記サブフレーム内の共通基準信号（ＣＲＳ）を送信するために利用可能なリソースを決定することと、
前記決定に基づいて前記サブフレームを処理することと
を行うように構成されたプロセッサを備える、装置。
［Ｃ３８］
ＵＥがサブフレームに関して実行するべきである１つまたは複数の機能のタイプに少なくとも部分的に基づいて、前記サブフレーム内の共通基準信号（ＣＲＳ）を送信するために利用可能なリソースを決定するためのコードと、
前記決定に基づいて前記サブフレームを処理するためのコードと
を備える、コンピュータ可読媒体。
【図１】
0006272782.tif 000002
【図２】
0006272782.tif 000003
【図２Ａ】
0006272782.tif 000004
【図３】
0006272782.tif 000005
【図４】
0006272782.tif 000006
【図５】
0006272782.tif 000007
【図６】
0006272782.tif 000008
【図７】
0006272782.tif 000009
【図８】
0006272782.tif 000010
【図９】
0006272782.tif 000011
【図１０】
0006272782.tif 000012